(57)【要約】【課題】電子機器のインターバル動作設定中に、メインのシステムを起動して無駄に電池を消費することなく、省電力で報知できるようにする。【解決手段】電子機器（１００）は、電子機器であって、前記電子機器内の時間を管理する時計管理手段と、前記時計管理手段のクロック信号を生成するための発振手段と、前記時計管理手段を駆動するための第一の電源手段と、前記電子機器内のシステムを制御する制御手段と、前記制御手段を駆動するための第二の電源手段と、前記制御手段からの信号と前記第二の電源手段からの電源で動作する報知手段と、所定の時間毎に前記時計管理手段からの信号で前記第二の電源を起動させる設定手段とを有し、前記時計管理手段は、前記第二の電源が停止中に、前記時計管理手段からの信号を用いて前記報知手段を制御する。【選択図】図１
2018007186.tif 000002
【特許請求の範囲】
【請求項１】
電子機器であって、
前記電子機器内の時間を管理する時計管理手段と、
前記時計管理手段のクロック信号を生成するための発振手段と、
前記時計管理手段を駆動するための第一の電源手段と、
前記電子機器内のシステムを制御する制御手段と、
前記制御手段を駆動するための第二の電源手段と、
前記制御手段からの信号と前記第二の電源手段からの電源で動作する報知手段と、
所定の時間毎に前記時計管理手段からの信号で前記第二の電源を起動させる設定手段と、
を有し、
前記時計管理手段は、前記第二の電源が停止中に、前記時計管理手段からの信号を用いて前記報知手段を制御することを特徴とする電子機器。
【請求項２】
前記電子機器の露光状態に応じて、前記時計管理手段が前記発光手段の発光電流を制御することを特徴とする請求項１に記載の電子機器。
【請求項３】
前記電子機器の撮像感度に応じて、前記時計管理手段が前記発光手段の発光電流を制御することを特徴とする請求項１に記載の電子機器。
【請求項４】
外界輝度に応じて、前記時計管理手段が前記発光手段の発光電流を制御することを特徴とする請求項１に記載の電子機器。
【請求項５】
電池の残量に応じて、前記時計管理手段が前記発光手段の発光電流を制御することを特徴とする請求項１に記載の電子機器。
【発明の詳細な説明】
【技術分野】
【０００１】
本発明は、待機状態においてもＬＥＤ発光することができる電子機器に関する。
【背景技術】
【０００２】
一般に、タイマー機能を用いて所定の時間毎に電子機器を自動で駆動させて、所定の処理を実行させる電子機器の使い方が知られている（以下、インターバル動作）。そこで、特許文献１のように、タイマースイッチに連動したＬＥＤ等の報知手段を制御できる携帯電話機を利用した光報知システムが提案されている。
【先行技術文献】
【特許文献】
【０００３】
【特許文献１】特開２００７−１８９４７９号公報
【発明の概要】
【発明が解決しようとする課題】
【０００４】
しかしながら、特許文献１に記載の技術では、システム停止時の待機状態において、報知手段であるＬＥＤを発光するタイミングで、システムとシステム駆動用の電源を起動させてＬＥＤを制御する必要がある。このように、報知する毎にシステムを起動させる構成と制御では、システム起動時に一定の電力を消費するため、電池の消耗を早めてしまい、駆動可能な時間が短くなってしまう。
【０００５】
そこで、報知手段を制御する際の省電力化が望まれている。
【課題を解決するための手段】
【０００６】
上記の課題を解決するために、本発明に係る電子機器は、
電子機器であって、前記電子機器内の時間を管理する時計管理手段と、前記時計管理手段のクロック信号を生成するための発振手段と、前記時計管理手段を駆動するための第一の電源手段と、前記電子機器内のシステムを制御する制御手段と、前記制御手段を駆動するための第二の電源手段と、前記制御手段からの信号と前記第二の電源手段からの電源で動作する報知手段と、所定の時間毎に前記時計管理手段からの信号で前記第二の電源を起動させる設定手段とを有し、前記時計管理手段は、前記第二の電源が停止中に、前記時計管理手段からの信号を用いて前記報知手段を制御することを特徴とする。
【発明の効果】
【０００７】
本発明に係る電子機器によれば、電子機器のインターバル動作設定中に、メインのシステムを起動して無駄に電池を消費することなく、省電力で報知することができる。
【図面の簡単な説明】
【０００８】
【図１】実施形態１における電子機器１００の構成ブロック図である。
【図２】実施形態１における制御フローチャートである。
【図３】実施形態１における回路ブロック図である。
【発明を実施するための形態】
【０００９】
以下、図面を参照して本発明の実施形態を説明する。ただし、本発明は以下の実施形態に限定されるものではない。
【００１０】
［実施形態１］
図１は実施形態１における電子機器１００の構成ブロック図であり、図２は、実施形態１における制御フローチャートである。
まず、図１を参照し、電子機器１００の全体構成を説明する。
電池１０は、電子機器１００を駆動するための入力電源である。制御部１０１は、例えば、ＣＰＵ（ＭＰＵ）、ユーザからの操作を受け付ける操作部１０２からの操作信号に応じて、各種処理（プログラム）を実行して電子機器１００の各ブロックを制御したり、各ブロック間でのデータ転送を制御したりする。
【００１１】
操作部１０２は、例えば、電源ボタン、静止画記録ボタン、動画記録開始ボタンなどの撮影に関連する各種操作を入力するスイッチ類を有する。また、メニュー表示ボタン、決定ボタン、その他カーソルキー、ポインティングデバイス、タッチパネル等を備え、ユーザによりこれらのキーやボタンが操作されると制御部１０１に操作信号を送信する。バス１０３は、各種データ、制御信号、指示信号などを電子機器１００の各ブロックに送るための汎用バスである。
【００１２】
撮像部１１０は、レンズにより取り込まれた被写体の光学像を、絞りにより光量を制御して、ＣＣＤセンサやＣＭＯＳセンサ等の撮像素子により画像信号に変換し、アナログデジタル変換をして、メモリ１０４に送信し、一時的に記憶させる。
【００１３】
画像処理部１１１は、画像の記録再生に必要な処理を実行するもので、下記の処理を実行するプログラムを搭載したマイクロコンピュータである。また、制御部１０１の一部の機能として下記の処理を実行するものであってもよい。画像処理部１１１は、撮像部１１０により取得され、メモリ１０４に記憶されたデジタル画像信号に対し、ホワイトバランスや色、明るさなどをユーザに設定された設定値や画像の特性から判定した設定値に基づいて調整する画質調整処理を行う。
【００１４】
画像処理部１１１で生成された動画データ、静止画データは、メモリ１０４の前述したデジタル画像信号が記憶されている領域以外の領域に記憶される。なお、本実施形態においては、撮像部１１０により得られたデジタル画像信号と、画像処理部１１１で生成された動画データ、静止画データは、同一のメモリ１０４に記憶されるものとして説明するが、別のメモリであってもよい。
【００１５】
制御部１０１は、メモリ１０４に記憶された静止画データを読み出して、記録再生部１４０に転送し、記録再生部１４０は、転送された静止画データを記録媒体１４１に静止画ファイルとして記録する。
【００１６】
また、記録再生部１４０は、記録媒体１４１に記録された静止画ファイル等を読み出す（再生する）。そして、制御部１０１は、読み出した静止画ファイルに含まれる静止画データを画像処理部１１１に送信し、画像処理部１１１は、静止画データの画像をメモリ１０４に記憶する。そして、表示制御部１３１は、メモリ１０４に記憶された１フレームの画像を順次読み出して、表示部１３０に表示する。
【００１７】
発光部１７０は報知手段用のＬＥＤ等であり、記録再生部１４０と記録媒体１４１の通信中や、インターバル動作設定中であることを報知するための発光手段である。
【００１８】
時計管理部２００は、発振手段２０１からの発振信号により基準クロックを生成し、設定された時間を管理するための計時手段である。時計管理部２００は、レジスタ機能やタイマー機能、第二の電源部２０４の起動信号を出力する機能、基準クロックの逓倍周期の間隔でパルス信号を出力する機能も備え、操作部１０２で設定されたタイマー時間や間隔で起動信号やパルス信号を出力する。
【００１９】
第一の電源部２０２は、電池１０から時計管理部２００に供給する電源を生成するＬＤＯ等で、電池１０が充填されている間は常時、時計管理部２００に電源を供給する。
【００２０】
第二の電源部２０４は、電池１０から電子機器１００の各ブロックに供給する電源を生成するＤＣＤＣコンバータ等で、操作部１０２の電源ボタンからの起動信号と、時計管理部２００からの起動信号により電源供給を開始する。
【００２１】
次に、実施形態１における電子機器１００の動作について説明する。電子機器１００は、ユーザが操作部１０２の電源ボタンを操作すると、操作部１０２から第二の電源部２０４に起動の指示が出される。この指示を受けて、第二の電源部２０４は電子機器１００の各ブロックに対して電源を供給する。
【００２２】
電源が供給されると、制御部１０１は、電子機器１００の起動要因を確認する。例えば、操作部１０２の電源ボタンからの起動であれば、電源ボタンがユーザに押されていることを電源ボタンの信号レベルから検出できる。また、時計管理部２００からの起動であれば、電源ボタンからの起動ではないことから判断するか、もしくは、時計管理部に備えたレジスタの判別フラグから判別してもいい。
【００２３】
起動要因が電源ボタンからの起動であれば、制御部１０１は、操作部１０２のモード切り換えスイッチが、「静止画撮影モード」、「動画撮影モード」、「再生モード」等のどのモードであるかを操作部１０２からの指示信号により確認する。
【００２４】
「静止画撮影モード」では、電子機器１００は撮影待機状態でユーザが操作部１０２の静止画記録ボタンを操作することで撮影を行い、静止画ファイルが記録媒体１４１に記録される。そして再び撮影待機状態になる。「動画撮影モード」では、電子機器１００は撮影待機状態でユーザが操作部１０２の動画記録開始ボタンを操作することで撮影を開始し、その間、動画データと音声データとが記録媒体１４１に記録される。そしてユーザが操作部１０２の動画記録終了ボタンを操作することで撮影を終了し、記録媒体１４１に記録していた動画データと音声データとを動画ファイルとして完成させる。その後、再び撮影待機状態になる。「再生モード」では、ユーザが選択したファイルに関する静止画ファイルや動画ファイルを記録媒体１４１から再生して、静止画や、動画、音声を出力する。
【００２５】
起動要因が時計管理部２００からの起動であれば、ユーザに予め設定されたインターバル動作の処理を実行する。例えば、インターバル動作とは天体撮影等を想定したインターバル静止画撮影である。
【００２６】
ここで、インターバル静止画撮影の具体的な動作について、図２のフローをもとに説明する。
【００２７】
ユーザが電子機器１００の撮影メニューや各種設定を予め入力することで、時計管理部２００のレジスタにインターバル静止画撮影を実行するフラグが立ち、インターバル時間、タイマー起動回数が設定される（Ｓ１００）。
【００２８】
次に、ユーザが電源ボタンを押して電子機器１００の電源をＯＦＦにする（Ｓ１０２〜Ｓ１０６で、第二の電源が停止している状態）と、時計管理部２００のタイマー機能が動作し、設定されたインターバル時間までカウントアップする（Ｓ１０８）。その間、所定の間隔で発光部１７０のＬＥＤが点灯する（Ｓ１１０）。例えば、初期設定では４秒消灯後に０．３秒点灯するように制御され、消灯時間（点灯間隔）と点灯時間（或いは点灯と消灯の時比率）は電池残量やインターバル時間に合わせて変えてもよい。
【００２９】
次に、設定されたインターバル時間が経過すると（Ｓ１１２のＹｅｓ）、時計管理部２００から起動信号が出力され、第二の電源部２０４を起動する。第二の電源部２０４から電源が供給された制御部１０１は、電子機器１００の起動要因が時計管理部２００からのインターバル静止画撮影によるものであると認識する（Ｓ１１４）。予めユーザが設定した撮影条件で、インターバル静止画撮影を実行すると（Ｓ１１６、Ｓ１１８）、制御部１０１はタイマー起動回数を確認する。
【００３０】
設定された起動回数に達している場合は（Ｓ１２０のＹｅｓ）、制御部１０１は時計管理部２００のレジスタにゼロをセットしてインターバル静止画撮影の設定を終了し（Ｓ１２２）、電子機器１００を停止する（Ｓ１２４）。また、設定された起動回数に達していない場合は（Ｓ１２０のＮｏ）、一旦、電子機器１００の電源をＯＦＦにして（Ｓ１０４、Ｓ１０６で、第二の電源が停止している状態）、時計管理部２００のタイマー機能によるカウントアップを再開する（Ｓ１０８）。
【００３１】
インターバル静止画撮影時は、例えば１時間のインターバル時間が設定されていると、電子機器１００が停止してから、次のインターバル起動までの１時間は、停止状態を維持している。その停止状態において、発光部１７０のＬＥＤを点灯制御する。
【００３２】
ここで、インターバル静止画撮影時の発光部１７０のＬＥＤ点灯制御について、図３の回路ブロック図を用いて説明する。
【００３３】
電子機器１００が電源ボタンからの起動信号で通常起動している際に発光部１７０のＬＥＤを点灯制御する場合は、例えば制御部１０１に供給されている電源Ｖｓに抵抗４００を介して接続されて、電流を制限しながらスイッチ４０２で点灯と消灯を制御する。
【００３４】
一方で、インターバル静止画撮影時の発光部１７０のＬＥＤ点灯を同様に制御しようとすると、インターバル時間中のカメラ待機状態においても第二の電源部２０４や制御部１０１を起動させる必要がある。仮に制御部１０１を点灯制御する度に起動するとなれば、無駄な待機電力を消費することになり、電池の消耗を早めてしまう。例えば、制御部１０１を起動した際の待機電力を２００ｍＷとすると、４秒毎に０．３秒点灯するのに、１時間当たりで約０．１時間の待機状態となり、その時に消費する無効電力は０．０２Ｊとなる。電池１０から取り出せる有効電力が３．７Ｊだとすると一時間当たりに５％以上を無駄に消費していることになる。
【００３５】
実施形態１では、インターバル静止画撮影時のカメラ待機状態において、第二の電源部２０４や制御部１０１を起動させずに、時計管理部２００に供給する第一の電源部２０２と、時計管理部２００からのクロック出力信号により、発光部１７０のＬＥＤ点灯制御を行なう。具体的には、時計管理部２００に入力される発振部２０１からの発振信号により生成した、基準クロックの逓倍周期のパルス信号をバッファ回路４０６を介して出力し、抵抗４０８で電流を制限しながら発光部１７０のＬＥＤを点灯制御する。
【００３６】
この時、電源が供給されていない制御部１０１に第一の電源部２０２からの電圧が印加されないように、逆流防止用のダイオード４１２が接続されている。同様に、通常起動時において第二の電源部２０４からの電圧がバッファ回路４０６に印加されないように、逆流防止用のダイオード４１０が接続されている。ここでは、第一の電源部２０２の電圧値が３．０Ｖ、第二の電源部２０４の電圧値が３．３Ｖとした場合の構成であり、電圧値の大小関係が逆転していればダイオード４１２は不要となる。また、発光部１７０のＬＥＤ点灯時の電圧降下を鑑みて、ダイオード４１２とダイオード４１０は電界効果トランジスタで構成してもよい。
【００３７】
このように、実施形態１のハード構成における特徴は、制御部１０１に供給する電源Ｖｓと、時計管理部２００に供給する電源Ｖｏのいずれの電源からでも、発光部１７０のＬＥＤを点灯制御出来ることにある。
【００３８】
また、実施形態１の制御方法における特徴は、制御部１０１が停止中においても、時計管理部２００からのクロック信号により、発光部１７０のＬＥＤを点灯制御出来ることにある。ここで、点灯制御する際に、抵抗４０８を変更することで、点灯電流を複数の設定値で切り替えられるようにしてもよい。また、その点灯電流の切替制御は、電子機器１００が撮影中か否かで変更してもよい。つまり、電子機器１００が暗闇で長秒露光しながら天体撮影している間は、光害となる点灯を暗く制御し、露光していない時は、報知時の視認性を重視し、点灯を明るく制御する。
【００３９】
また、同様に長秒露光中の撮像感度に応じて、点灯電流の切替制御をしてもよい。つまり、撮像感度が高く設定されていると、少ない光量でも光害となる懸念があるため、より暗く点灯制御する。また、撮像部１１０がレンズから取り込んだ外光に応じて、点灯電流の切替制御をしてもよい。
【００４０】
つまり、外界輝度に応じて、明るい状態では報知時の視認性を重視して点灯を明るく制御し、暗い状態では光害やユーザにとって眩しい点灯を避けるために点灯を暗く制御する。また、電池１０の電圧や残量に応じて、点灯電流の制御をしてもよい。つまり、電圧が低くなれば、点灯電流を絞って省電力化を図る点灯制御とする。また、電池１０の電圧や残量に応じて、時計管理部２００からのクロック信号の周波数やオンとオフの時比率を可変制御してもよい。
【００４１】
つまり、電圧が低くなれば、点灯する周波数を低く、或いは点灯する時比率を低くすることで、単位時間当たりの平均点灯電流を絞って、省電力化を図る点灯制御とする。
【００４２】
以上のように、実施形態１における電子機器１００を用いれば、電子機器１００のインターバル動作設定中に、メインのシステムを起動して無駄に電池を消費することなく、省電力で報知できる。
【符号の説明】
【００４３】
１０  電池、１００  電子機器、１０１  制御部、１０２  操作部、１０４  メモリ、
１１０  撮像部、１１１  画像処理部、１３０  表示部、１３１  表示制御部、
１４０  記録再生部、１４１  記録媒体、１７０  発光部、２００  時計管理部、
２０１  発振部、２０２  第一の電源部、２０４  第二の電源部、４００  抵抗、
４０２  スイッチ、４０６  バッファ部、４０８  抵抗、４１０  ダイオード、
４１２  ダイオード
【図１】
2018007186.tif 000003
【図２】
2018007186.tif 000004
【図３】
2018007186.tif 000005